(57)【要約】【課題】本発明は一人でもベッドと車椅子間の移動を、重労働になることなく、容易にスム−ズに行なうことができる車椅子を得るにある。【解決手段】シートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、車椅子本体のシ−トクッション取付け部位の前記シ−トバックが突出する一側部位に、ほぼ水平方向に回動可能に取付けられた肘掛けと、この肘掛けを水平方向に位置させた場合に外方へ突出できるように、該肘掛けにスライド移動可能に取付けられたスライドシ−トクッションとで車椅子を構成している。【選択図】　図４
2004000409.tif 000002
【特許請求の範囲】
【請求項１】
シートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、前記車椅子本体のシ−トクッション取付け部位の前記シ−トバックが突出する一側部位に、ほぼ水平方向に回動可能に取付けられた肘掛けと、この肘掛けを水平方向に位置させた場合に外方へ突出できるように、該肘掛けにスライド移動可能に取付けられたスライドシ−トクッションとからなることを特徴とする車椅子。
【請求項２】
シートクッションの部位より下部に少なくとも３個以上の車輪が取付けられた車椅子本体と、この車椅子本体のシ−トバック取付け部位に、任意の左右方向にスライド移動して突出するように取付けられたスライド移動可能なシ−トバックと、このシ−トバックを前記シ−トバック取付け部位にロック、ロック解除できるように取付けられたシ−トバックロック機構と、前記車椅子本体のシ−トクッション取付け部位に、ほぼ水平方向に回動可能に取付けられた左右の肘掛けと、この左右の肘掛けを水平方向に位置させた場合に外方へ突出できるように、該肘掛けにスライド移動可能にそれぞれ取付けられた左右のスライドシ−トクッションと、この左右のスライドシ−トクッションを前記左右の肘掛けにロック、ロック解除できるように取付けられたスライドシ−トクッションロック機構とからなることを特徴とする車椅子。
【請求項３】
シートクッションの部位より下部に少なくとも３個以上の車輪が取付けられた車椅子本体と、この車椅子本体のシ−トバック取付け部位に取付けられたシ−トバックと、前記車椅子本体のシ−トクッション取付け部位に一側部位に突出する、ほぼ水平方向に回動可能に取付けられた肘掛けと、この肘掛けを水平方向に位置させた場合に外方へ突出できるように、該肘掛けにスライド移動可能に取付けられたスライドシ−トクッションとからなることを特徴とする車椅子。
【請求項４】
シートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、前記車椅子本体のシ−トクッション取付け部位に前記シ−トバックが突出する側方にスライド移動して突出するように取付けられたスライド移動可能なシ−トクッションとからなることを特徴とする車椅子。
【請求項５】
シートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、前記車椅子本体のシ−トクッション取付け部位に前記シ−トバックが突出する側方にスライド移動して突出するように取付けられたスライド移動可能なシ−トクッションと、このシ−トクッションの側方にスライド移動する部位の前記車椅子本体に取付けられた、該シ−トクッションのスライド移動時にはじゃまにならないように下方あるいは後方へ回動あるいはスライド移動させることができる肘掛けと、前記シ−トクッションの反スライド移動部位の前記車椅子本体に取付けられた固定肘掛けとからなることを特徴とする車椅子。
【発明の詳細な説明】
【０００１】
【発明の属する技術分野】
本発明は介助する場合等に使用される車椅子に関する。
【０００２】
【従来の技術】
従来の介助する場合等に使用される車椅子は介助される人を乗せて、介助する人が押して移動できるるように構成されている。
【０００３】
【発明が解決しようとする課題】
従来の介助用車椅子は寝たきりの病人等が使用する場合、介助する人がベッドと介助用車椅子間の移動作業を一人で行なうことが、非常に難しい重労働になるという欠点があった、
【０００４】
本発明は以上のような従来の欠点に鑑み、一人でもベッドと介助用車椅子間の移動を、重労働になることなく、容易にスム−ズに行なうことができる車椅子を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はシートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、前記車椅子本体のシ−トクッション取付け部位の前記シ−トバックが突出する一側部位に、ほぼ水平方向に回動可能に取付けられた肘掛けと、この肘掛けを水平方向に位置させた場合に外方へ突出できるように、該肘掛けにスライド移動可能に取付けられたスライドシ−トクッションとで車椅子を構成している。
【０００７】
【発明の実施の形態】
以下、図面に示す実施の形態により、本発明を詳細に説明する。
【０００８】
図１ないし図１０に示す本発明の第１の実施の形態において、１はリクライニングベッド２等での、寝たきりの介助される人３を容易に乗せることができる本発明の車椅子で、この車椅子１は中央部に切欠部４が形成された板状のシ−トクッション５の部位よりも下部に少なくとも３個、本発明の実施の形態では前方両側部に２個の自在車輪６、６、後方両側部に２個の固定車輪７、７が取付けられた車椅子本体８と、この車椅子本体８のシ−トバック取付け部位９に溶接等によって固定された、水平方向の長孔１０が形成されたシ−トバック取付け板１１に一方の側方にスライド移動して突出するように取付けられたスライド移動可能なシ−トバック１２と、前記車椅子本体８のシ−トクッション取付け部位１３の、前記シ−トバック１２が突出する一側部位にほぼ水平方向に回動可能に取付けられた肘掛け１４と、この肘掛け１４を水平方向に位置させた場合に外方へ突出できるように、該肘掛け１４にスライド移動可能に取付けられたスライドシ−トクッション１５と、前記肘掛け１４の反対側の前記車椅子本体８のシ−トクッション取付け部位１３に固定された固定用肘掛け１６とで構成されている。
なお、前記シ−トクッション５、シ−トバック１２およびスライドシ−トクッション１５はクッション材が取付けられたものや、クッション材のないものが使用される。
【０００９】
前記車椅子本体８はパイプ材を用いて形成された、前記２個の自在車輪６、６、２個の固定車輪７、７を備えるフレ−ム１７と、このフレ−ム１７に一体あるいは溶接等によって固定された、上部後方へ突出する一対の取っ手１８、１８と、前記フレ−ム１７の前方両側部寄りの下部に溶接等によって固定された一対の足支持台１９、１９とで構成されている。
【００１０】
前記シ−トバック１２はシ−トバック本体２０と、このシ−トバック本体２０の反突出側のほぼ中央背面に形成されたねじ孔２１と螺合される、前記シ−トバック取付け板１１の長孔１０を通過して締付け固定される、ロック機構として使用されるロックボルト２２と、前記シ−トバック本体２０の両端部に後端部が固定され、先端部に取付けられた係止片２３と、該係止片２３と着脱可能に係合する係合片２４とからなる、介助される人を支持する支持ベルト２５とで構成されている。
【００１１】
前記肘掛け１４はパイプ材をコ字状に曲げ加工した肘掛け本体２６と、この肘掛け本体２６の下部寄りの部位の両側部材２６ａ、２６ａに溶接等によって固定された補強バ−２７と、前記肘掛け本体２６の両側部材２６ａ、２６ａの下部寄りの部位に形成された長孔２８、２８と、この長孔２８、２８に通過する支持ピン２９、２９が取付けられた、前記肘掛け本体２６の両側部材２６ａ、２６ａの下端部を挿入支持して垂直方向に保持する、前記フレ−ム１７に固定された取付け金具３０、３０と、前記肘掛け本体２６に溶接等によって固定されたガイドレ−ル３１とで構成されている。
【００１２】
前記スライドシ−トクッション１５はスライドシ−トクッション本体３２と、このスライドシ−トクッション本体３２の背面に固定された、前記肘掛け１４のガイドレ−ル３１とスライド移動可能に取付けられるスライドレ−ル３３と、このスライドレ−ル３３のスライド移動を阻止するスライドシ−トクッションロック機構としての、前記ガイドレ−ル３１に螺合され、前記スライドレ−ル３３を押し圧固定することができるロックボルト３４とで構成されている。
【００１３】
上記構成の車椅子１は、寝たきりの介助される人３が寝ているリクライニングベッド２の側面に位置させる。
しかる後、介助される人３を車椅子１を位置させた部位と反対側へ介助される人を移動させた後、肘掛け１４を上方へ持ち上げてリクライニングベッド２上に回動させるとともに、スライドシ−トクッション１５を突出させる。
【００１４】
次に、介助される人３をスライドシ−トクッション１５にお尻が乗るように移動させるとともに、リクライニングベッド２を介助される人３が座った状態に回動させる。
しかる後、シ−トバック１２をスライド移動させて、介助される人３とベッド２との間に位置させ、支持ベルト２５で介助される人３をシ−トバック１２に取付ける。
【００１５】
次に、介助される人３を車椅子本体８側にシ−トバック１２およびスライドシ−トクッション１５を移動させるとともに、スライドシ−トクッション１５が収縮状態になったところでシ−トクッション５上に介助される人３を移動させることにより、車椅子１に介助される人３が乗った状態となる。
しかる後、肘掛け１４を回動して取付け金具３０に固定するとともに、ロックボルト３４の締付けでスライドシ−トクッション１５を肘掛け１４に固定し、ロックボルト２２の締付けでシ−トバック１２をシ−トバック取付け板１１に固定する。
この状態で車椅子１の一対の取っ手１８、１８を介助する人が持って、移動させて使用する。
なお、車椅子１からリクライニングベッド２への移動は、前述と逆の操作を行なうことにより、容易に行なうことができる。
【００１６】
【発明の異なる実施の形態】
次に、図１１ないし図３１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１１ないし図１３に示す本発明の第２の実施の形態において、前記本発明の第１の実施の形態と主に異なる点は、シ−トバック本体２０の中央両側部寄りの背面にロックボルト２２のねじ孔２１、２１を形成して、ロックボルト２２の取付け部を変えることにより左右のいずれの方向にでもシ−トバック１２をスライド移動できるようにするとともに、車椅子本体８の両側部に肘掛け１４、１４とスライドシ−トクッション１５、１５とを備えた点で、このように構成した車椅子１Ａにしても、前記本発明の第１の実施の形態と同様な作用効果が得られるとともに、左右のいずれの方向からでも介助される人を容易に乗せたり降ろしたりすることができる。
【００１８】
図１４ないし図１８に示す本発明の第３の実施の形態において、前記本発明の第２の実施の形態と主に異なる点は、シ−トクッション５を任意の高さに調整することができる車椅子本体８Ａを用いた点で、この車椅子本体８Ａは２個の自在車輪６、６および２個の固定車輪７、７が取付けられたチャンネル材を用いた一対の車輪支持レ−ル３５、３５、この一対の車輪支持レ−ル３５、３５を所定間隔に固定する支持バ−３６、３６とからなる車輪取付けフレ−ム３７と、この車輪取付けフレ−ム３７の一対の車輪支持レ−ル３５、３５の先端部に下端部が枢支ピン３８、３８で枢支された一対の一方の支持バ−３９、３９、前記一対の車輪支持レ−ル３５、３５の後端部に下端部がスライド移動可能に支持され、ほぼ中央部を前記一対の一方の支持バ−３９、３９のほぼ中央部に枢支ピン４０、４０で枢支された一対の他方の支持バ−４１、４１、前記一対の一方の支持バ−３９、３９の上端部に後端部が枢支ピン４２、４２で枢支され、他端部が前記一対の他方の支持バ−４１、４１の上端部をスライド可能に覆う、前記シ−トクッション５が固定された一対の上部支持バ−４３、４３とからなるフレ−ム１７Ａと、前記一対の一方の支持バ−３９、３９の上端部から上部後方へ突出するように取付けられた一対の取っ手１８、１８と、前記一対の他方の支持バ−４１、４１の下部寄りの部位に両端部が溶接等によって固定されたねじ孔４４が形成された移動バ−４５と、この移動バ−４５のねじ孔４４と螺合する先端部が車輪取付けフレ−ム３７に回動可能に取付けられた、後端部にクランク状のハンドル４６が形成された高さ調整ハンドル４７とで構成されている。
このように構成された車椅子本体８Ａを用いた車椅子１Ｂにしても、前記本発明の第２の実施の形態と同様な作用効果が得られるとともに、ベッドの高さにシ−トクッションの高さを合せて使用することができる。
【００１９】
図１９ないし図２１に示す本発明の第４の実施の形態において、前記本発明の第１の実施の形態と主に異なる点は、シ−トバック取付け部位９にシ−トバック１２Ａを固定的に取付けた点で、このように構成した車椅子１Ｃにしても寝たきりの介助される人の上半身を介助する人が支持することにより、前記本発明の第１の実施の形態と同様な作用効果が得られる。
【００２０】
図２２ないし図２４に示す本発明の第５の実施の形態において、前記本発明の第１の実施の形態と主に異なる点は、シ−トバック取付け部の車椅子本体８に固定された一対の固定レ−ル４８、４８、この一対の固定レ−ル４８、４８にスライド移動可能に取付けられた一対の可動レ−ル４９、４９と、この一対の可動レ−ル４９、４９にスライド移動可能に取付けられたシ−トクッション５と、シ−トバックの取付け部位の車椅子本体８にシ−トバック１２のスライド移動を阻止しないように回動可能に取付けられた肘掛け１４Ａ、１４Ａとを用いた点で、このように構成した車椅子１Ｄにしても、前記本発明の第１の実施の形態と同様な作用効果が得られる。
【００２１】
図２５ないし図２８に示す本発明の第６の実施の形態において、前記本発明の第５の実施の形態と主に異なる点は、リップミゾ形鋼形状の一対の固定レ−ル４８Ａ、４８Ａと、この一対の固定レ−ル４８Ａ、４８Ａをスライド移動するシ−トクッション５が取付けられた一対のスライドレ−ル５０、５０と、この一対のスライドレ−ル５０、５０の両端部にヒンジ部材５１、５１、５１、５１を介してほぼ９０度上方へ回動することができるガイドレ−ル５２、５２がそれぞれ取付けられた左右の肘掛け１４Ｂ、１４Ｂと、この左右の肘掛け１４Ｂ、１４Ｂを使用状態に係止する係止具５３、５３とを用いた点で、このように構成した車椅子１Ｅは、前記本発明の第５の実施の形態と同様な作用効果が得られるとともに、シ−トクッション５を左右方向のいずれの方向にもスライド移動させて使用することができる。
【００２２】
図２９ないし図３１に示す本発明の第７の実施の形態において、前記本発明の第５の実施の形態と主に異なる点は、シ−トクッション５が側方へ突出する部位の車椅子本体８にシ−トクッション５をスライド移動させる場合に下方へ回動させることができ、使用時には係止具５３Ａによって係止できる肘掛け１４Ｃと、シ−トクッション５の突出しない側方の車椅子本体８に固定された固定肘掛け１４Ｄとを用いた点で、このように構成した車椅子１Ｆにしても、前記本発明の第５の実施の形態と同様な作用効果が得られる。
【００２３】
なお、前記本発明の各実施の形態ではシ−トバック１２やスライドシ−トクッション１５を手動でスライド移動させるものについて説明したが、本発明はこれに限らず、シ−トバック１２やスライドシ−トクッション１５を電動や油圧シリンダ−、エアシリンダ−を用いてスライド移動させるように構成してもよい。
また、前記本発明の各実施の形態では寝たきりの介助される人が使用する場合に付いて説明したが、本発明はこれに限らず身体の不自由な人が車等の乗り降り時やその他の使用に使用してもよい。
【００２４】
【発明の効果】
以上の説明から明らかなように、本発明にあっては次に列挙する効果が得られる。
【００２５】
（１）シートクッションの部位より下部に少なくとも３個以上の車輪が取付けられた車椅子本体と、この車椅子本体のシ−トバック取付け部位に、側方にスライド移動して突出するように取付けられたスライド移動可能なシ−トバックと、前記車椅子本体のシ−トクッション取付け部位の前記シ−トバックが突出する一側部位に、ほぼ水平方向に回動可能に取付けられた肘掛けと、この肘掛けを水平方向に位置させた場合に外方へ突出できるように、該肘掛けにスライド移動可能に取付けられたスライドシ−トクッションとで構成されているので、ベッドと車椅子との移動をシ−トバックを側方にスライド移動するとともに、肘掛けを水平方向に回動させ、スライドシ−トクッションを側方へスライド移動させることにより行なうことができる。
したがって、従来のように寝たきりの介助される人を抱えて持ち上げたりする作業をしなくても移動でき、容易に、楽に移動させることができる。
【００２６】
（２）前記（１）によって、べッドと車椅子との移動は、介助される人のスライド移動およびシ−トバックやスライドシ−トクッションのスライド移動でできるので、操作が容易で、誰でもが一人でも移動させることができる。
【００２７】
（３）前記（１）によって、容易に介助される人を車椅子に乗せたり、車椅子よりベッドに移動させることができるので、気軽に車椅子に乗せて散歩や入浴、トイレ等を行なうことができる。
【００２８】
（４）請求項２、３、４、５も前記（１）〜（３）と同様な効果が得られる。
【図面の簡単な説明】
【図１】本発明の第１の実施の形態の側面図。
【図２】本発明の第１の実施の形態の正面図。
【図３】本発明の第１の実施の形態の背面図。
【図４】本発明の第１の実施の形態の動作説明図。
【図５】本発明の第１の実施の形態のシ−トバックの説明図。
【図６】本発明の第１の実施の形態の肘掛けの説明図。
【図７】本発明の第１の実施の形態のスライドシ−トクッションの説明図。
【図８】スライドシ−トクッションに支持させた説明図。
【図９】本発明の第１の実施の形態のシ−トバックに支持させた説明図。
【図１０】本発明の第１の実施の形態のシ−トバックの移動説明図。
【図１１】本発明の第２の実施の形態の側面図。
【図１２】本発明の第２の実施の形態の正面図。
【図１３】本発明の第２の実施の形態の動作説明図。
【図１４】本発明の第３の実施の形態の側面図。
【図１５】本発明の第３の実施の形態の正面図。
【図１６】本発明の第３の実施の形態の背面図。
【図１７】本発明の第３の実施の形態のフレ−ムの説明図。
【図１８】本発明の第３の実施の形態の高さを調整する場合の説明図。
【図１９】本発明の第４の実施の形態の側面図。
【図２０】本発明の第４の実施の形態の正面図。
【図２１】本発明の第４の実施の形態の動作説明図。
【図２２】本発明の第５の実施の形態の側面図。
【図２３】本発明の第５の実施の形態の正面図。
【図２４】本発明の第５の実施の形態の動作説明図。
【図２５】本発明の第６の実施の形態の側面図。
【図２６】本発明の第６の実施の形態の正面図。
【図２７】本発明の第６の実施の形態の平面図。
【図２８】本発明の第６の実施の形態の動作説明図。
【図２９】本発明の第７の実施の形態の側面図。
【図３０】本発明の第７の実施の形態の正面図。
【図３１】本発明の第７の実施の形態の動作説明図。
【符号の説明】
１、１Ａ、１Ｂ、１Ｃ、１Ｄ、１Ｅ、１Ｆ：車椅子、
２：リクライニングベッド、
３：介助される人、　　　４：切欠部、
５：シ−トクッション、　６：自在車輪、
７：固定車輪、
８、８Ａ：車椅子本体、
９：シ−トバック取付け部位、
１０：長孔、
１１：シ−トバック取付け板、
１２、１２Ａ：シ−トバック、
１３：シ−トクッション取付け部位、
１４、１４Ａ、１４Ｂ、１４Ｃ、１４Ｄ：肘掛け、
１５：スライドシ−トクッション、
１６：固定用肘掛け、　　１７、１７Ａ：フレ−ム、
１８：取っ手、　　　　　１９：足支持台、
２０：シ−トバック本体、２１：ねじ孔、
２２：ロックボルト、　　２３：係止片、
２４：係合片、　　　　　２５：支持ベルト、
２６：肘掛け本体、　　　２７：補強バ−、
２８：長孔、　　　　　　２９：枢支ピン、
３０：取付け金具、　　　３１：ガイドレ−ル、
３２：スライドシ−トクッション本体、
３３：スライドレ−ル、　３４：ロックボルト、
３５：車輪支持レ−ル、　３６：支持バ−、
３７：車輪取付けフレ−ム、
３８：枢支ピン、　　　　３９：一方の支持バ−、
４０：枢支ピン、　　　　４１：他方の支持バ−、
４２：枢支ピン、　　　　４３：上部支持バ−、
４４：ねじ孔、　　　　　４５：移動バ−、
４６：ハンドル、　　　　４７：高さ調整ハンドル、
４８、４８Ａ：固定レ−ル、
４９：可動レ−ル、　　　５０：スライドレ−ル、
５１：ヒンジ部材、　　　５２：ガイドレ−ル、
５３、５３Ａ：係止具。
【図１】
2004000409.tif 000003
【図２】
2004000409.tif 000004
【図３】
2004000409.tif 000005
【図４】
2004000409.tif 000006
【図５】
2004000409.tif 000007
【図６】
2004000409.tif 000008
【図７】
2004000409.tif 000009
【図８】
2004000409.tif 000010
【図９】
2004000409.tif 000011
【図１０】
2004000409.tif 000012
【図１１】
2004000409.tif 000013
【図１２】
2004000409.tif 000014
【図１３】
2004000409.tif 000015
【図１４】
2004000409.tif 000016
【図１５】
2004000409.tif 000017
【図１６】
2004000409.tif 000018
【図１７】
2004000409.tif 000019
【図１８】
2004000409.tif 000020
【図１９】
2004000409.tif 000021
【図２０】
2004000409.tif 000022
【図２１】
2004000409.tif 000023
【図２２】
2004000409.tif 000024
【図２３】
2004000409.tif 000025
【図２４】
2004000409.tif 000026
【図２５】
2004000409.tif 000027
【図２６】
2004000409.tif 000028
【図２７】
2004000409.tif 000029
【図２８】
2004000409.tif 000030
【図２９】
2004000409.tif 000031
【図３０】
2004000409.tif 000032
【図３１】
2004000409.tif 000033